(57)【要約】  【課題】液晶表示装置の光源を交換するメンテナンス時において、光学シート群への埃の混入等を防止する。  【解決手段】液晶パネル２２の背面側に光学シート群３２を介して光源２８が配置されていると共に、光源２８の背面側に反射複合材３０を介してバックシャーシ３１がフロントシャーシ２３に固定された液晶表示装置２０であって、光学シート群３２の背面側周縁を支持する枠状のシート保持用シャーシ２７をフロントシャーシ２３に固定しており、バックシャーシ３１を取り外して光源２８を露出しても光学シート群３２はシート保持用シャーシ２７で保持された状態が維持される。  【選択図】図２
2005202036.tif 000002
【特許請求の範囲】
【請求項１】
前面側より液晶パネル、光学シート群、光源が積層配置されると共に枠状の前面側フレームとバックシャーシとの間に少なくとも上記光学シート群および光源が配置され、上記前面側フレームとバックシャーシとを直接的あるいは間接的に連結固定している液晶表示装置であって、
上記光学シート群を一体的に保持している部材を設け、上記バックシャーシと前面側フレームとの固定を解いても、上記光学シート群が一体的保持された状態としていることを特徴とする液晶表示装置。
【請求項２】
上記光学シート群を一体的に保持する部材は、上記光学シート群の背面側周縁を載置する略平坦部と、該略平坦部の外周縁より突出する略垂直部を備えたシート保持用シャーシからなり、該前面側フレームと上記シート保持用シャーシとを止め具を介して固定しており、
上記前面側フレームと上記バックシャーシとの固定を解いた時、上記光学シート群は前面側フレームに固定されている請求項１に記載の液晶表示装置。
【請求項３】
上記光源は光源保持部材に位置決め保持しており、
上記光源保持部材は上記前面側フレームおよび上記バックシャーシと一体的に止め具で締結し、あるいは、
上記光源保持部材と上記前面側フレームおよび上記光源保持部材と上記バックシャーシとを夫々止め具で締結している請求項１または請求項２に記載の液晶表示装置。
【請求項４】
前面側より液晶パネル、光学シート群、光源が積層配置されると共に枠状の前面側フレームとバックシャーシとの間に少なくとも上記光学シート群および光源が配置され、上記前面側フレームとバックシャーシとを直接的あるいは間接的に連結固定している液晶表示装置であって、
積層された複数枚の上記光学シート群のうち少なくとも最背面のシートを上記前面側フレームに止め具を介して固定し、上記バックシャーシと前面側フレームとの固定を解いても、上記光学シート群が上記前面側フレームに一体的保持された状態としていることを特徴とする液晶表示装置。
【請求項５】
上記光源は光源保持部材に位置決め保持しており、
上記光源保持部材を上記光学シート群の最背面のシートに止め具を介して固定している請求項４に記載の液晶表示装置。
【請求項６】
前面側より液晶パネル、光学シート群、光源が積層配置されると共に枠状の前面側フレームとバックシャーシとの間に少なくとも上記光学シート群および光源が配置され、上記前面側フレームとバックシャーシとを直接的あるいは間接的に連結固定している液晶表示装置であって、
上記光源は光源保持部材により位置決め保持し、
上記光学シート群の背面側周縁が上記光源保持部材の上面で支持されていると共に、上記光源保持部材は上記前面側フレームに止め具を介して固定し、上記バックシャーシと前面側フレームとの固定を解いても、上記光学シート群が上記前面側フレームに一体的保持された状態としていることを特徴とする液晶表示装置。
【請求項７】
上記前面側フレームは、上記液晶パネルの前面側周縁を保持する枠状のベゼルと、上記液晶パネルの背面側周縁を保持する枠状のフロントシャーシとを備えている請求項１乃至請求項６のいずれか１項に記載の液晶表示装置。
【請求項８】
上記光源は並列配置された複数の線状光源からなり、
上記光源保持部材はその下端から光源挿通部を切り欠いており、上記線状光源を該光源挿通部に位置決めし、上記バックシャーシにより該光源挿通部の下端開口が閉鎖される構成としている請求項３、請求項５乃至請求項７のいずれか１項に記載の液晶表示装置。  
【請求項９】
上記光源保持部材は、線状光源の端部を設置する溝を有する背側受け材と、該背側受け材の前面側に取り付けられる前側押え材とを備えている請求項３、請求項５乃至請求項８のいずれか１項に記載の液晶表示装置。
【請求項１０】
上記前側押え材は上記前面側フレームに止め具で固定されていると共に、上記背側受け材は上記バックシャーシに固定されている請求項９に記載の液晶表示装置。
【請求項１１】
上記前側押え材は係止部を設けていると共に、上記背側受け材には被係止部を設けており、該係止部を被係止部に係止することで上記前側押え材を上記背側受け材に固定している請求項９または請求項１０に記載の液晶表示装置。
【請求項１２】
上記バックシャーシと上記光源保持部材には、互いを位置合わせする位置決め手段を設けている請求項３、請求項５乃至請求項１１のいずれか１項に記載の液晶表示装置。
【請求項１３】
上記位置決め手段は、上記光源保持部材の下面に凸部を設ける一方、上記バックシャーシの対応する位置に凹部または嵌合孔を設け、あるいは、
上記光源保持部材の下面に凹部を設ける一方、上記バックシャーシの対応する位置に凸部を設けることにより、互いの凹凸を係合して位置決めする構成としている請求項１２に記載の液晶表示装置。
【請求項１４】
上記光学シート群を構成するシートは、拡散板、プリズムシート、拡散シート、ＩＴＯシート、ＰＥＴ、導光板あるいは／および選択反射シートとしている請求項１乃至請求項１３のいずれか１項に記載の液晶表示装置。
【請求項１５】
上記前面側フレーム、上記シート保持用シャーシ、上記光学シート群の最背面のシート、光源保持部材あるいは／および上記バックシャーシは、前面側からそれぞれ止め具により貫通固定されており、
上記止め具は、固定対象となる部材よりも前面側に配置された非固定対象の部材に穿設された開口を通過させて取り付けている請求項１乃至請求項１４のいずれか１項に記載の液晶表示装置。
【請求項１６】
上記光源保持部材と上記バックシャーシとは、背面側から止め具により固定されている請求項３、請求項５乃至請求項１５のいずれか１項に記載の液晶表示装置。
【発明の詳細な説明】
【技術分野】
【０００１】
本発明は、液晶パネルの背面側に光源を配置した液晶表示装置に関するものである。
【背景技術】
【０００２】
液晶表示装置は液晶パネルの背面側に面状の光源装置であるバックライトが配置されており、このバックライトには複数本の光源を液晶パネルの背面側に配置する直下型と、光源を側面に設置して導光板により面状に発光させるエッジライト型とがある。特に、直下型バックライトは、厚みは大きくなるが光の利用効率が高いことから、一般的にはモニタや液晶テレビ等のような明るさを要求されるものに使用されている。
ところで、液晶表示装置の寿命はバックライトの光源の寿命にほぼ依存しており、故障した光源を新品のものに交換するメンテナンスを行えば、液晶表示装置は半永久的に使用できる利点がある。
【０００３】
光源を交換する作業については２種類の方法が考えられる。１つは液晶表示装置を分解する方法であり、この方法では液晶パネルや光学シート類等を１枚づつ取り除くため、液晶パネルと光源との間に介在された光学シート群がバラけてしまい、光源の交換後には積層された光学シートの間に塵や埃が混入して表示品位を劣化させる懸念がある。
そのため、液晶表示装置が故障した際のバックライト光源の交換作業はクリーンルーム等の特別な環境状態で行う必要が生じ、サービスマンやユーザ自身が簡単に交換作業を行うことができない。
【０００４】
次に、バックライトユニットごと交換をする方法があるが、これはほとんど全ての良品部材を交換するというデメリットがあり高額なコスト負担に繋がる。
また、上記２種類の方法で交換した場合には、更に二次損害も容易に発生しうるという問題もある。即ち、交換作業時に液晶パネルを開けるため、液晶パネルに画像情報を送るための部材であり外力に対して非常に弱いテープ状のＴＣＰ(Tape Carrier Package)やＳＯＦ（System On Film）と呼ばれるドライバの接続不良や断線等が容易に起こり、高額な液晶パネルまで不良交換しなければならないというような問題が発生する。
【０００５】
また、特開２００１−２１８６９号公報では図３２に示すように、液晶パネル２、バックライト３および回路基板４をケーシング５内に積層して収容した状態で上方から金属製フレーム１を被せ、ケーシング５のフック５ａを金属製フレーム１の係合溝１ａに係止して固定している。しかし、この構造であると、バックライト３を新品と交換する際、フック５ａと係合溝１ａの係止を解除することで全てが分解されて、バックライト３や液晶パネル２等に埃が付着してしまう。
さらに、特開平７−５６１６４号公報では図３３に示すように、上側筐体６とパネル固定板７の間に液晶パネル８を挟持しており、パネル固定板７の下面側に拡散板９を配置すると共に、拡散板９の下面側において支持部材１０に固定したバックライト１１を配置して上側筐体６にネジ１３で固定し、下側筐体１２を閉鎖している。しかし、この公報では、バックライト１１と支持部材１０と間の固定方法や拡散板９の固定方法が一切開示されておらず、また、バックライト１１の交換時にネジ１３を外してしまうと拡散板９等に埃が混入する恐れがある。
【特許文献１】特開２００１−２１８６９号公報
【特許文献２】特開平７−５６１６４号公報
【発明の開示】
【発明が解決しようとする課題】
【０００６】
本発明は、上記問題に鑑みてなされたもので、液晶表示装置のバックライトの光源を交換するメンテナンス時において、光源を取り外す作業を行っても光学シート群に埃等が混入しないようにすること、及び、交換作業時に他の良品部材を傷つけることなく生かしつつ容易に交換して、その結果として二次的な損害を引き起こさないことを課題としている。
【課題を解決するための手段】
【０００７】
上記課題を解決するため、本発明は、前面側より液晶パネル、光学シート群、光源が積層配置されると共に枠状の前面側フレームとバックシャーシとの間に少なくとも上記光学シート群および光源が配置され、上記前面側フレームとバックシャーシとを直接的あるいは間接的に連結固定している液晶表示装置であって、
上記光学シート群を一体的に保持している部材を設け、上記バックシャーシと前面側フレームとの固定を解いても、上記光学シート群が一体的保持された状態としていることを特徴とする液晶表示装置を提供している。
【０００８】
上記構成とすると、故障した光源を交換するメンテナンス時において、バックシャーシを取り外して露出した光源の交換作業を行っても、光学シート群は一体的に保持されたままで分解されないので、光源の交換作業時に光学シート群がばらけて埃等が混入するのを防止することができる。さらに、光源の交換作業をクリーンルーム等の特別な環境下で行う必要がなくなるのでメンテナンス作業性も向上する。また、光源交換時において光学シート群が分解されないことにより、再度組み立て直しする際に光学シート群の組み付け作業も不要となり、作業工数も低減することが可能となる。
【０００９】
上記光学シート群を一体的に保持する部材は、上記光学シート群の背面側周縁を載置する略平坦部と、該略平坦部の外周縁より突出する略垂直部を備えたシート保持用シャーシからなり、該前面側フレームと上記シート保持用シャーシとを止め具を介して固定しており、
上記前面側フレームと上記バックシャーシとの固定を解いた時、上記光学シート群は前面側フレームに固定されている。
【００１０】
上記構成とすると、前面側フレームに固定されたシート保持用シャーシの略平坦部で光学シート群の周縁を支持することにより、取り外されたバックシャーシ側へと光学シート群が外れてしまうことなくなる。また、上記略垂直部は光学シート群を位置決めする枠の役目を果たすと共に、光学シート群の厚さ方向の設置空間を確保するスペーサの役目を果たすことも可能であり、また、液晶パネルと光学シート群のクリアランスを前面一定に保つことができるので液晶表示画面の品位を安定（ムラ防止）させることができる。なお、上記止め具としてはビスやボルト等を用いるとよい。
【００１１】
上記光源は光源保持部材に位置決め保持しており、
上記光源保持部材は上記前面側フレームおよび上記バックシャーシと一体的に止め具で締結し、あるいは、
上記光源保持部材と上記前面側フレームおよび上記光源保持部材と上記バックシャーシとを夫々止め具で締結している。
【００１２】
上記構成とすると、止め具により前面側フレーム、光源保持部材およびバックシャーシを一体的に固定する場合には、止め具を一方向から取り付けることで、分解時に一方向から作業を行えるので、作業時に液晶表示装置を反転させる必要がなくなり、作業負荷が軽減されると共に、反転作業に起因する装置の損傷を無くすことができる。あるいは、光源保持部材と前面側フレームとの固定および光源保持部材とバックシャーシとの固定をそれぞれ別の止め具で固定する場合には、バックシャーシを固定する止め具を背面側から取り付けることで、メンテナンス環境が背面側からの作業となるシチュエーションの場合に作業性が良好となる。即ち、本発明は液装表示装置で取り出したい部材が表示装置の上方部にあれば前面側から交換する。一方、取り出したい部材が表示装置の下方部にあれば背面側から交換する等、その目的・状況に合わせた手法が自由に選択できる。
【００１３】
また、本発明は、前面側より液晶パネル、光学シート群、光源が積層配置されると共に枠状の前面側フレームとバックシャーシとの間に少なくとも上記光学シート群および光源が配置され、上記前面側フレームとバックシャーシとを直接的あるいは間接的に連結固定している液晶表示装置であって、
積層された複数枚の上記光学シート群のうち少なくとも最背面のシートを上記前面側フレームに止め具を介して固定し、上記バックシャーシと前面側フレームとの固定を解いても、上記光学シート群が上記前面側フレームに一体的保持された状態としていることを特徴とする液晶表示装置を提供している。
【００１４】
上記構成とすると、故障した光源を交換するメンテナンス時において、バックシャーシを取り外して露出した光源の交換作業を行っても、最背面の光学シートが前面側フレームに固定されたままで分解されないので、積層された光学シート群の全体もバラけることが無く、塵や埃が光学シート間に混入するのを防止することができる。しかも、最背面の光学シート自体を前面側フレームに固定しているので、光学シート支持用の特別な部材が必要なく部品点数の増大も抑制できる利点もある。さらに、光源の交換作業をクリーンルームで行う必要がなくなるのでメンテナンス作業性も向上する。また、光源交換時において光学シート群が分解されないので、光源の交換後に再度組み立て直しを行う際に光学シート群の組み付け作業を不要とすることができ、作業工数も低減することが可能となる。
【００１５】
上記光源は光源保持部材に位置決め保持しており、
上記光源保持部材を上記光学シート群の最背面のシートに止め具を介して固定している。
【００１６】
上記構成とすると、上記前面側フレームに固定された上記最背面のシートを止め具により上記光源保持部材に取り付けることで、光源保持部材を固定することができる。
【００１７】
また、本発明は、前面側より液晶パネル、光学シート群、光源が積層配置されると共に枠状の前面側フレームとバックシャーシとの間に少なくとも上記光学シート群および光源が配置され、上記前面側フレームとバックシャーシとを直接的あるいは間接的に連結固定している液晶表示装置であって、
上記光源は光源保持部材により位置決め保持し、
上記光学シート群の背面側周縁が上記光源保持部材の上面で支持されていると共に、上記光源保持部材は上記前面側フレームに止め具を介して固定し、上記バックシャーシと前面側フレームとの固定を解いても、上記光学シート群が上記前面側フレームに一体的保持された状態としていることを特徴とする液晶表示装置を提供している。
【００１８】
上記構成とすると、故障した光源を交換するメンテナンス時においてバックシャーシを取り外して露出した光源の交換作業を行っても、前面側フレームに固定された光源保持部材の上面による光学シート群の支持状態が維持されているので、光源の交換作業時に光学シート群がばらけて塵や埃等が混入するのを防止することができる。しかも、光源保持部材の上面を光学シート群の支持用に利用しているので、光学シート支持用の特別な部材を新たに追加する必要もなく部品点数の増大を抑制できる利点がある。
さらに、光源の交換作業をクリーンルーム等で行う必要がなくなるのでメンテナンス作業性も向上する。また、光源交換時において光学シート群が分解されないことにより、再度組み立て直しする際に光学シート群の位置決め組み付け作業も不要となり、作業工数も低減することが可能となる。
【００１９】
上記前面側フレームは、上記液晶パネルの前面側周縁を保持する枠状のベゼルと、上記液晶パネルの背面側周縁を保持する枠状のフロントシャーシとを備えている。
【００２０】
上記構成とすると、上記前面側フレームとして枠状のベゼルと枠状のフロントシャーシとの二部材を用いて液晶パネルの周縁を挟持することができる。なお、ベゼル（およびフロントシャーシ）と液晶パネルとの間にはスペーサを介在させれば、液晶パネルのガラス基板とベゼルおよびフロントシャーシとが干渉して異音が発生するのを防止することができる。特に、音声を伴うＡＶ機器等で使用される場合には、音波による振動で発生する干渉音を防止するために大きな効果がある。
【００２１】
上記光源は並列配置された複数の線状光源からなり、
上記光源保持部材はその下端から光源挿通部を切り欠いており、上記線状光源を該光源挿通部に位置決めし、上記バックシャーシにより該光源挿通部の下端開口が閉鎖される構成としている。
【００２２】
上記構成とすると、複数本の線状光源（例えば、冷陰極管、熱陰極管、Ｘｅランプなど）を上記光学シート群の背面側に並列配置することで面光源が構成され、かつ、光源保持部材により夫々の線状光源の並列状態を位置決めすることできる。また、液晶表示装置からバックシャーシを取り外せば、光源保持部材の光源挿通部の下端開口から線状光源の両端部を下方に向けてスライドするだけで、線状光源を簡単に取り外すことができる。
さらに、上記線状光源として水銀を含有する冷陰極管等を使用する場合には、上述のように効率良く光源交換を行える構造を採用することで、冷陰極管を破損することなく安全に交換作業ができ、かつ、離脱された不要な冷陰極管から有害物質である水銀を完全に回収することが可能となるため、環境に配慮したリサイクルに貢献することができる。
【００２３】
上記光源保持部材は、上記線状光源の端部の設置溝を有する背側受け材と、該背側受け材の前面側に着脱自在に固定されて上記端部を挟持する前側押え材とを備えている。
【００２４】
上記構成とすると、線状光源の端部を背側受け材の設置溝に配置した状態で前側押え材を被せて固定することで、線状光源が光源保持部材に保持されるので、組み付け時の取扱性が向上する。また、線状光源の交換の際には、光源保持部材を上記前面側フレームから分解した状態で前側押え材を上方に取り外せば、設置溝に配置された線状光源を前面側に取り出すことができるので、装置を反転させることなく作業を前面側から行うことができる。
【００２５】
上記前側押え材は上記前面側フレームに止め具で固定されていると共に、上記背側受け材は上記バックシャーシに固定されている。
【００２６】
上記構成とすると、止め具を外して前面側フレームと前側押え材とを分解すれば、あとは前側押え材を背側受け材より取り外すだけで、線状光源の交換を行うことができる。
【００２７】
上記前側押え材には係止部を設けていると共に、上記背側受け材は被係止部を設けており、該係止部を被係止部に係止することで上記前側押え材を上記背側受け材に固定している。
【００２８】
上記構成とすると、前側押え材を背側受け材に係止固定する構造とすることで、ネジ止め等により固定する場合に比べて、固定作業および取外し作業がワンタッチで行うことができ、作業性が向上する。
【００２９】
上記バックシャーシと上記光源保持部材には、互いを位置合わせする位置決め手段を設けている。
【００３０】
上記構成とすると、光源保持部材をバックシャーシの所定の位置に設置する際に、位置決めを簡単かつ容易に行うことができ作業性が向上する。
【００３１】
具体的には、上記位置決め手段は、上記光源保持部材の下面に凸部を設ける一方、上記バックシャーシの対応する位置に凹部または嵌合孔を設け、あるいは、
上記光源保持部材の下面に凹部を設ける一方、上記バックシャーシの対応する位置に凸部を設けることにより、互いの凹凸を係合して位置決めする構成としていると好ましい。
つまり、光源保持部材とバックシャーシとを互いに凹凸係合することで、簡素な構造で且つワンタッチで確実に位置決めを行うことが可能となる。
【００３２】
上記光学シート群を構成するシートは、拡散板、プリズムシート、拡散シート、ＩＴＯシート、ＰＥＴ、導光板あるいは／および選択反射シート等としている。
【００３３】
上記前面側フレーム、上記シート保持用シャーシ、上記光学シート群の最背面のシート、光源保持部材あるいは／および上記バックシャーシは、前面側からそれぞれ止め具により貫通固定されており、
上記止め具は、固定対象となる部材よりも前面側に配置された非固定対象の部材に穿設された開口を通過させて取り付けている。
【００３４】
上記構成とすると、上記前面側フレーム、上記シート保持用シャーシ、上記光学シート群の最背面のシート、光源保持部材あるいは／および上記バックシャーシのうち最前面にない部材同士を止め具で貫通固定する場合に、固定対象よりも前面側に配置された部材を取り外すことなく、上記開口を通して止め具を着脱することができる。しかも、メンテナンス時の分解作業を前面側からのみの作業で行えるため、装置を反転する必要がなく作業工数を低減することが可能となる。
【００３５】
上記光源保持部材と上記バックシャーシとは、背面側から止め具により固定されている。
【００３６】
上記構成とすると、背面側からの作業が行いやすい場合において、上記背面側の止め具を取り外すだけで、バックシャーシを離脱させて光源保持部材に保持された光源を露出させることができ、メンテナンス作業性を向上させることができる。
【発明の効果】
【００３７】
以上の説明より明らかなように、本発明によれば、上記シート保持用シャーシで光学シート群を支持したり、光学シート群自体を前面側フレームに固定したり、あるいは、バックシャーシを外しても光源保持部材の上面により光学シート群を支持できる構造とすることで、光源を交換するメンテナンス時において、バックシャーシを取り外して光源の交換作業を行っても光学シート群は支持されたままでばらけないので、光源の交換作業時に光学シート群に塵や埃等が混入するのを防止することができる。また、光源の交換作業をクリーンルーム等で行う必要がなくなるので作業場所を選ばず作業性も向上する。さらに、光学シート群が分解されないことにより、再度組み立て直しする際に光学シート群の組み付け作業も不要となり作業工数も低減する。また、光源として冷陰極管等を用いた場合のリサイクル時に有害な物質を含む水銀を安全且つ確実に取り出すことができる。
【００３８】
また、クリーンルーム等への輸送代がかからず、交換部品が不良光源のみで済み、交換時間も短時間となり作業工賃が低減されるため、光源の交換コストが安価となる。さらに、数箇所の止め具を外すだけで光源の交換作業を行えるので作業が容易となる。そして、結果的に光源を簡単に交換するだけで愛着ある液晶表示装置（ex.液晶ＴＶ等）が新品同様の機能に復元され、一般ユーザの満足度も高めることができる。
【発明を実施するための最良の形態】
【００３９】
本発明の第１実施形態を図面を参照して説明する。
液晶表示装置２０は、図１および図２（Ａ）に示すように、液晶パネル２２の周縁を枠状のフロントシャーシ２３とベゼル２１でスペーサ３５、３６を介して挟持しており、フロントシャーシ２３とベゼル２１とで前面側フレームを形成している。また、液晶パネル２１の下方に光学シート群３２を枠状のシート保持用シャーシ２７で支持して配置している。そして、光学シート群３２の下方には複数の線状光源２８を平行配置して、各線状光源２８の両端２８ａを光源保持部材２９で保持した状態で下方より反射複合材３０で閉鎖すると共にバックシャーシ３１で閉鎖している。なお、実施形態の説明では画像を表示する前面側を上側すると共に背面側を下側としている。
【００４０】
液晶パネル２１は、図２（Ａ）に示すように、対向配置された透明基板３７の間に液晶を封入してマトリックス状に配列された多数の画素を形成していると共に、その両面側に入射光および出射光の偏光面の方向を揃えるための偏光板３８、３９を設けている。
【００４１】
光学シート群３２はそれぞれ透過光の拡散・集光等を行う樹脂シートであり、上層からプリズムシート２４、拡散シート２５、拡散板２６と積層配置している。光学シート群の枚数や組合せは任意であり、例えば上層からＤＢＥＦ−Ｄ、プリズムシート、拡散シート、拡散板を積層する構成としてもよいし、ＩＴＯシートやＰＥＴシートや導光板や選択反射シート等を含めてもよい。
【００４２】
シート保持用シャーシ２７は、断面Ｌ字に枠形状を形成しており、光学シート群３２の最下層の拡散板２６の下面周縁を支持する平坦部２７ａと、平坦部２７ａの外周より垂直上方に立設する垂直部２７ｂとを備えていると共に、平坦部２７ａにおいてネジ穴２７ｃおよび貫通穴２７ｄを設けている。
【００４３】
線状光源２８は、本実施形態では冷陰極管を使用しているが、熱陰極管やＸｅランプ、線状でないＬＥＤ等を用いても良い。なお、線状光源２８の両端２８ａには図示しないゴムホルダが装着されている。なお、本実施形態では、液晶表示装置２０の短辺側が垂直方向、長辺側が水平方向となるよう設置使用する場合において、線状光源２８が水平方向となり内部の水銀等が一方に溜まらないようにして光源特性が最適となるようにしているが、線状光源２８の性能によっては光源配置方向が垂直方向となるように配置してもよい。この場合は水平配置よりも短尺の線状光源でよい利点がある。
【００４４】
光源保持部材２９は樹脂の成形品であり、複数本の線状光源２８の両端２８ａを一括して位置決め保持するように一対設けられて、その対向面の下端側より光源挿通部２９ａを所要間隔で切り欠いていると共に、その下端側には反射複合材３０の端部を位置決めする切欠部２９ｂを設けている。下面にバックシャーシ３１への位置決め用の凹部２９ｃを設けていると共に、凹部２９ｃから上面まで貫通する挿通穴２９ｅを設けている。また、光源保持部材２９の上面にはフロントシャーシ２３の下面と当接する突出部２９ｇを設けていると共に、ビスＢ１と空隙をあけて干渉防止する凹部２９ｄを設けている。
【００４５】
反射複合材３０は、アルミニウム等の金属板３３の上面に樹脂製の反射シート３４を貼付け接合している反射率９０％以上のアルセット（三菱樹脂株式会社製）を用いている。
バックシャーシ３１は金属製で、装置の強度を向上させる役割と放熱の役割を果たしており、光源保持部材２９の下面の凹部２９ｃに対応する位置に凸部３１ａを設けて位置決めを図っていると共に、凸部３１ａにはネジ穴３１ｂが穿設されている。なお、強度維持の観点からは繊維強化樹脂等のような剛性を有する樹脂に代替しても構わない。
また、これら反射複合材３０とバックシャーシ３１との機能を備えた一体物の複合部材を使用してもよく、こうすると、背面側から線状光源２８を交換する際に上記複合部材は一体でバラけないので、数本の止め具と上記複合部材との２種の部材のみ分解するだけで簡単に交換作業を行うことができる。
【００４６】
ベゼル２１は断面逆Ｌ字の枠形状であり、その上面にビスＢ２の挿通用の開口部２１ａを穿設していると共にネジ穴２１ｂを設けている。フロントシャーシ２３は断面逆Ｌ字の枠形状であり、その上面にビスＢ１、Ｂ２、Ｂ３を取り付けるためのネジ穴２３ａ、２３ｂ、２３ｃを設けている。
【００４７】
フロントシャーシ２３とシート保持用シャーシ２７とは、互いに光学シート群３２を挟持した状態で上方からビスＢ１によりネジ穴２３ａ、２７ｃを通してネジ止め固定されており、光源保持部材２９のビスＢ１と干渉する部位には凹部２９ｄを設けて干渉を回避している。
ベゼル２１とフロントシャーシ２３とは、互いに液晶パネル２２を挟持した状態で上方からビスＢ３によりネジ穴２１ｂ、２３ｃを通してネジ止め固定されている。
【００４８】
フロントシャーシ２３と光源保持部材２９とバックシャーシ３１とは、シート保持用シャーシ２７の貫通穴２７ｄを貫通して上方からビスＢ２によりネジ穴２３ｂ、３１ｂおよび挿通穴２９ｅを通してネジ止め固定されている。
なお、バックシャーシ３１はフロントシャーシ２３やベゼル２１に図示しない位置で固定することにより、ビスＢ２によらず固定しても構わない。
【００４９】
次に、線状光源２８が故障した際のメンテナンス手順について説明する。
図２（Ｂ）に示すように、液晶表示装置２０の前面側（図中上側）より開口部２１ａを通してビスＢ２を外すと、バックシャーシ３１、反射複合材３０および光源保持部材２９を取り外すことができ、光源保持部材２９の光源挿通部２９ａの下側開口より線状光源２８を下方に取り出すことができる。この際、シート保持用シャーシ２７はビスＢ１によりフロントシャーシ２３に固定されており、光学シート群３２はシート保持用シャーシ２７により支持されたままの状態が保たれるので、光学シート群３２がばらけてしまうことがなく、各シート２４〜２６の間に塵や埃などが入ってしまうことが確実に防止される。
【００５０】
また、新品の線状光源を光源挿通部２９ａに挿通させた状態で凹部２９ｃをバックシャーシ３１の凸部３１ａに位置決めし、光源保持部材２９、反射複合材３０およびバックシャーシ３１を組み付けてビスＢ２を再度ネジ止め固定するだけで簡単にメンテナンス作業が終了する。つまり、線状光源２８の交換作業は、前面側からの一方向のみの作業で行うことができ、装置を裏返したりする手数を無くすことができる。さらには、全てのビスＢ１〜Ｂ３が前面側から取り付けられているので、その他の分解作業も同様に前面側の一方向のみからで行うことでき作業性が向上する。
【００５１】
図３（Ａ）（Ｂ）は第２実施形態を示す。
本実施形態は、反射複合材３０に代えてバックシャーシ３１の上面に反射シート４２を設置していると共に、ベゼル４１にはビスＢ１の上方においてもビス挿通用の開口部４１ｃを設けている。
ベゼル４１は、ビスＢ１、Ｂ２に対応する位置に開口部４１ａ、４１ｃを穿設していると共に、ビスＢ３に対応する位置にネジ穴４１ｂを設けている。
【００５２】
上記構成とすると、シート保持用シャーシ２７も分解したい場合には、ベゼル４１の開口部４１ａを通してビスＢ２を外して光源保持部材２９、反射シート４２およびバックシャーシ３１を取り外すと共に、ベゼル４１の開口部４１ｃを通してビスＢ１を外すことにより、ベゼル４１とフロントシャーシ２３とを分解することなく行うことができるので、液晶パネル２２の固定状態を維持することができ、メンテナンス性の向上が図られる。
つまり、全てのビスＢ１〜Ｂ３が前面側から取り付けられているので、分解作業を前面側の一方向のみから行うことでき作業性が向上する。なお、他の構成は上述した他の実施形態と同様であるため同一符号を付して説明を省略する。
【００５３】
図４（Ａ）（Ｂ）は第３実施形態を示す。
本実施形態は、シート保持用シャーシ２７を廃止して、光学シート群４５の最下層の拡散板４４の端部を側方に延在させてビス孔４４ａ、４４ｂを設けている。
フロントシャーシ４３は、ビスＢ１をネジ止めする位置に凹部４３ａを設けると共に凹部４３ａにネジ穴４３ｄを設けており、また、ビスＢ２に対応する位置に開口部４３ａ、ビスＢ３に対応する位置にネジ穴４４ｃを設けている。
【００５４】
フロントシャーシ４３と最下層の拡散板４４とは、ビスＢ１によりネジ穴４３ｄおよびビス孔４４ｂを通してネジ止めすることで、拡散板４４の固定と共に上層のプリズムシート２４および拡散シート２５を支持している。
ここで、フロントシャーシ４３には凹部４３ｂが設けられているので、プリズムシート２４および拡散シート２５を積層するスペースが形成されるようになっている。また、拡散板４４と光源保持部材２９とバックシャーシ３１とは、ビスＢ２によりビス孔４４ａ、挿通穴２９ｅおよびネジ穴３１ｂを通してネジ止め固定されている。
【００５５】
上記構成とすると、ビスＢ２を外してバックシャーシ３１、反射複合材３０および光源保持部材２９を取り外した場合でも、最下層の拡散板４４がビスＢ１によりフロントシャーシ４３に固定されており、かつ、それにより上層のプリズムシート２４および拡散シート２５は支持されたままの状態が保たれるので、光学シート群４５がばらけてしまうことがなく、各シートの間に埃などが入ってしまうのを確実に防止することが可能となる。
また、全てのビスＢ１〜Ｂ３が前面側から取り付けられており、線状光源２８の交換作業は、前面側からの一方向のみの作業で行うことができるため、装置を裏返したりする作業が無く作業性が向上する。
【００５６】
なお、拡散板４４にビス孔４４ａ、４４ｂを穿設する代わりに、ナットを拡散板４４にインサートして成形してもよい。また、最下層の拡散板４４だけをビスＢ１で固定するのではなく、上層のプリズムシート２４あるいは／および拡散シート２５もビスＢ１により固定しても構わない。なお、他の構成は上述した他の実施形態と同様であるため同一符号を付して説明を省略する。
【００５７】
図５（Ａ）（Ｂ）は第４実施形態を示す。
本実施形態では、フロントシャーシ４８と光源保持部材５０とを固定するビスＢ２を側面から取り付けていると共に、バックシャーシ３１を光源保持部材５０に背面からビスＢ４により固定している。
【００５８】
ベゼル４７は、その上面にビスＢ３の装着用のネジ穴４７ａを設けていると共に側面にビス挿通用の開口部４７ｂを穿設している。
フロントシャーシ４８は、その上面にビスＢ１、Ｂ３の装着用のネジ穴４８ａ、４８ｂを設けていると共に、側面にビスＢ２の装着用のネジ穴４８ｃを設けている。
【００５９】
光源保持部材５０は、その対向面の下端より光源挿通部５０ａを切り欠いていると共に、下面にバックシャーシ３１への位置決め用の凹部５０ｃを設けており、凹部５０ｃにはネジ穴５０ｈを設けている。また、光源挿通部５０ａの下端側には反射複合材３０の端部を位置決めする切欠部５０ｂを設けており、光源保持部材５０の上面にはビスＢ１と空隙をあけて干渉防止する凹部５０ｄと、側面にはビスＢ２を固定するためのネジ穴５０ｆを設けている。
【００６０】
光源保持部材５０とバックシャーシ３１とは、互いの凹部５０ｃおよび凸部３１ａを係合して位置決めした状態で下方からビスＢ４によりネジ部３１ｂ、５０ｈを通してネジ止め固定されている。
【００６１】
線状光源２８を交換する場合には、ビスＢ４を背面から外すことで、光学シート群３２を分解することなく、バックシャーシ３１および複合反射材３０を取り外すことができる。また、光源保持部材５０も取り外したい場合には、ベゼル４７の開口部４７ｂを通してビスＢ２を外すことにより、光学シート群３２や液晶パネル２２の固定状態を維持したまま側面からの作業で行うことができる。なお、他の構成は上述した他の実施形態と同様であるため同一符号を付して説明を省略する。
【００６２】
図６（Ａ）（Ｂ）は第５実施形態を示す。
本実施形態は、シート保持用シャーシ５４をビスＢ３でベゼル５２に固定している。
ベゼル５２は、その上面にビスＢ３の装着用のネジ穴５２ａを設けていると共に側面にビス挿通用の開口部５２ｂを穿設している。
フロントシャーシ５３は、その上面にビスＢ１の装着用のネジ穴５３ａと、ビスＢ３の通過用の貫通穴５３ｂとを設けていると共に、側面にビスＢ２の装着用のネジ穴５３ｃを設けている。
【００６３】
シート保持用シャーシ５４は、ビスＢ１、Ｂ３の装着用のネジ穴５４ａ、５４ｂを設けている。
光源保持部材５５は、その対向面の下端より光源挿通部５５ａを切り欠いていると共に、下面にバックシャーシ３１への位置決め用の凹部５５ｃを設けており、凹部５５ｃにはネジ穴５５ｈを設けている。また、光源挿通部５５ａの下端側には反射シート４２の端部を位置決めする切欠部５５ｂを設けており、光源保持部材５５の上面にはビスＢ１、Ｂ２と空隙をあけて干渉防止する凹部５５ｄ、５５ｉと、側面にはビスＢ２を固定するためのネジ穴５５ｇを設けている。
【００６４】
線状光源２８を交換する場合には、第４実施形態と同様にビスＢ４を側方から外すことで、光学シート群３２を分解することなく、バックシャーシ３１および複合反射材３０を取り外して線状光源２８の新品への交換を行うことができる。なお、他の構成は上述した他の実施形態と同様であるため同一符号を付して説明を省略する。
【００６５】
図７（Ａ）（Ｂ）は第６実施形態を示す。
本実施形態のシート保持用シャーシ５９は、拡散板２６を支持する平坦部５９ａと、平坦部５９ａの外側縁から上方に突出する垂直部５９ｂと、垂直部５９ｂの上端から外方に突出する水平部５９ｃと、水平部５９ｃの外側縁から下方に突出する垂下部５９ｄとを備えている。また、平坦部５９ａはビスＢ２、Ｂ３を装着するネジ穴５９ｅ、５９ｆを設けていると共に、垂下部５９ｄにはビスＢ１を装着するネジ穴５９ｇを設けている。
【００６６】
ベゼル５７は、その上面にビスＢ３の装着用のネジ穴５７ｂおよびビス挿通用の開口部５７ａを設けていると共に側面にビス挿通用の開口部５７ｃを穿設している。
フロントシャーシ５８は、その上面にビスＢ２の装着用のネジ穴５８ａおよびビスＢ３の貫通用の開口部５８ｂを設けていると共に、側面にビスＢ１の装着用のネジ穴５８ｃを設けている。
【００６７】
光源保持部材６０は、その対向面の下端より光源挿通部６０ａを切り欠いていると共に、下面にバックシャーシ３１への位置決め用の凹部６０ｃを設けており、凹部６０ｃから上面まで貫通する挿通穴６０ｅを設けている。また、光源挿通部６０ａの下端側には反射シート４２の端部を位置決めする切欠部６０ｂを設けている。光源保持部材６０の上面にはビスＢ３と空隙をあけて干渉防止する凹部６０ｄとを設けている。
【００６８】
線状光源２８を交換する場合には、ベゼル５７の開口部５７ａを通してビスＢ２を外すことで、光学シート群３２を分解することなく且つ前面側からの一方向の作業で、バックシャーシ３１、反射シート４２、光源保持部材６０を取り外して線状光源２８の交換を行うことができる。なお、他の構成は上述した他の実施形態と同様であるため同一符号を付して説明を省略する。
【００６９】
図８（Ａ）（Ｂ）は第７実施形態を示す。
本実施形態の光源保持部材６２は、背側受け材６３と前側押え材６４の二部材からなり、線状光源２８の両端２８ａを挟持する構成としている。
【００７０】
背側受け材６３は、上面に前側押え材６４の下面と嵌合する凹部６３ａを設けており、内側面の上端側から線状光源２８の端部２８ａを搭載する設置溝６３ｄを切り欠いていると共に、下端側から反射複合材３０の押さえ用の切欠部６３ｅを設けている。また、背側受け材６３の下面には位置決め用の凹部６３ｂを設けており、凹部６３ｂには上面まで貫通する挿通穴６３ｃを設けている。
【００７１】
前側押え材６４は、下面に背側受け材６３の凹部６３ａと嵌合する凸部６４ａを設けており、内側面の下端側に設置溝６３ｄと合致する切欠部６４ｃを設けている。また、前側押え材６４の上面にはビスＢ１と空隙をあけて干渉防止する凹部６４ｄと、ビスＢ２を取り付けるネジ穴６４ｅと、フロントシャーシ２３の下面と当接する突出部６４ｆとを設けていると共に、前側押え材６４の上面外側には段差を設けてネジ穴６４ｂを下面まで貫通している。
【００７２】
そして、背側受け材６３の設置溝６３ｄに線状光源２８の端部２８ａを搭載した状態で前側押え材６４を被せて凸部６４ａを凹部６３ａに嵌合し、合致した挿通穴６３ｃ、６４ｂに上方よりビスＢ４を挿通してバックシャーシ３１のネジ穴３１ｂにネジ止め固定している。また、フロントシャーシ２３と光源保持部材２９とは、シート保持用シャーシ２７の貫通穴２７ｄを貫通して上方からビスＢ２によりネジ穴２３ｂ、６４ｅを通してネジ止め固定されている。
【００７３】
上記構成とすると、フロントシャーシ２３等に組み付ける前の時点であっても、ビスＢ４を取り付けることにより線状光源２８が光源保持部材６２に保持されるので、組付作業時の取扱性が向上する。
一方、線状光源２８の交換の際には、ビスＢ２を取り外した後にビスＢ４を外して前側押え材６４を上方に取り外せば、設置溝６３ｄに配置された線状光源２８を前面側に取り出すことができる。即ち、前面側からの作業となるため装置を反転させる必要がなくなり、作業負荷が軽減されると共に、反転作業に起因する装置の損傷を無くすこともできる。なお、他の構成は上述した他の実施形態と同様であるため同一符号を付して説明を省略する。
【００７４】
図９（Ａ）（Ｂ）は第８実施形態を示す。
本実施形態のベゼル４１には、第２実施形態と同様にビスＢ１の上方においてもビス挿通用の開口部４１ｃを設けている。なお、他の構成は上述した他の実施形態と同様であるため同一符号を付して説明を省略する。
【００７５】
図１０（Ａ）（Ｂ）は第９実施形態を示す。
第８実施形態との相違点は、シート保持用シャーシ２７を廃止して、第３実施形態と同様に光学シート群４５の最下層の拡散板４４の端部を側方に延在させてビス孔４４ａ、４４ｂを設けている。
【００７６】
フロントシャーシ４３と最下層の拡散板４４とは、ビスＢ１によりネジ穴４３ｄおよびビス孔４４ｂを通してネジ止めすることで、拡散板４４の固定と共に上層のプリズムシート２４および拡散シート２５を支持している。
したがって、ビスＢ２、Ｂ４を外して線状光源２８の交換を行っても、光学シート群４５がばらけてしまうことがなく、各シート２４〜２６の間に埃などが入ってしまうのを防止することができる。また、線状光源２８の交換作業は、前面側からの一方向のみで行うことでき作業性が向上する。なお、他の構成は上述した他の実施形態と同様であるため同一符号を付して説明を省略する。
【００７７】
図１１（Ａ）（Ｂ）は第１０実施形態を示す。
第９実施形態との相違点は、フロントシャーシ４８と前側押え材６８とをビスＢ３により側方からネジ止め固定している点である。
【００７８】
光源保持部材６６の前側押え材６７は、下面に背側受け材６３の凹部６３ａと嵌合する凸部６７ａを設けており、内側面の下端側に設置溝６３ｄと合致する切欠部６７ｃを設けている。前側押え材６７の上面にはビスＢ１と空隙をあけて干渉防止する凹部６７ｄと、フロントシャーシ２３の下面と当接する突出部６４ｆとを設けていると共に、前側押え材６７の上面外側には段差を設けてネジ穴６７ｂを下面まで貫通し、外側面にはビスＢ２を取り付けるネジ穴６７ｅを備えている。
【００７９】
線状光源２８の交換時には、ビスＢ３を側方から取り外した後にビスＢ４を前面側から取り外して前側押え材６７を上方に取り外せば、設置溝６３ｄに配置された線状光源２８を前面側に取り出すことができる。なお、他の構成は上述した他の実施形態と同様であるため同一符号を付して説明を省略する。
【００８０】
図１２（Ａ）（Ｂ）は第１１実施形態を示す。
本実施形態は、第５実施形態と同様にしてベゼル５２とシート保持用シャーシ５４とをビスＢ２により上方からネジ止めしている。
光源保持部材６９の前側押え材７０は、下面に背側受け材６３の凹部６３ａと嵌合する凸部７０ａを設けており、内側面の下端側に設置溝６３ｄと合致する切欠部７０ｃを設けている。前側押え材７０の上面にはビスＢ１、Ｂ２と空隙をあけて干渉防止する凹部７０ｄ、７０ｉと、フロントシャーシ２３の下面と当接する突出部７０ｆとを設けていると共に、前側押え材７０の上面外側には段差を設けてネジ穴７０ｂを下面まで貫通し、外側面にはビスＢ３を取り付けるネジ穴７０ｅを備えている。なお、他の構成は上述した実施形態と同様であるため同一符号を付して説明を省略する。
【００８１】
図１３（Ａ）（Ｂ）は第１２実施形態を示す。
第１１実施形態との相違点は、第６実施形態と同様のシート保持用シャーシ５９を用いている点である。
光源保持部材７２の前側押え材７３は、下面に背側受け材６３と嵌合する凸部７２ａを設けており、内側面の下端側に設置溝６３ｄと合致する切欠部７３ｃを設けている。また、前側押え材７３の上面にはビスＢ２を取り付けるネジ穴７３ｄと、ビス３と空隙をあけて干渉防止する凹部６４ｄとを設けていると共に、前側押え材７０の上面外側には段差を設けてネジ穴７０ｂを下面まで貫通している。
【００８２】
線状光源２８を交換する場合には、ベゼル５７の開口部５７ｃを通してビスＢ２を外した後にビスＢ４を取り外して分解することで、光学シート群３２をシート保持用シャーシ５９により支持したままで、前面側からの作業で線状光源２８の交換を行うことができる。なお、他の構成は上述した他の実施形態と同様であるため同一符号を付して説明を省略する。
【００８３】
図１４（Ａ）（Ｂ）は第１３実施形態を示す。
本実施形態の光源保持部材７４は、背側受け材７５と前側押え材７６の二部材からなり、互いを着脱自在に係止する構造を有するものである。
【００８４】
背側受け材７５は、上面に前側押え材７６と係止する断面Ｌ字状に凹設された被係止部７５ａを設け、内側面の上端側から線状光源２８の端部２８ａを搭載する設置溝７５ｄを切り欠いていると共に、下端側から反射複合材３０の押さえ用の切欠部７６ｅを設けている。また、背側受け材７５の下面には位置決め用の凹部７５ｂを設けており、凹部７５ｂにはネジ穴７５ｃを設けている。
【００８５】
前側押え材７６は、下面に背側受け材７５の被係止部７５ａにスライド係止する断面Ｌ字状に突出した係止部７６ａを設けており、内側面の下端側に設置溝７５ｄと合致する切欠部７６ｃを設けている。また、前側押え材７６の上面にはビスＢ１と空隙をあけて干渉防止する凹部７６ｄと、ビスＢ２を取り付けるネジ穴７６ｅと、フロントシャーシ２３の下面と当接する突出部７６ｆとを設けている。
【００８６】
背側受け材７５の設置溝７５ｄに線状光源２８の端部２８ａを搭載した状態で前側押え材７５の係止部７６ａを背側受け材７５の凹部７５ａにスライド嵌合して係止することで、線状光源２８が光源保持部材７４に保持されることとなり、組付作業時の取扱性が向上する。
また、バックシャーシ３１の凸部３１ａに背側受け材７５の凹部７５ｂを位置決めした状態で下方よりビスＢ４でネジ穴３１ｂ、７５ｃにネジ止め固定している。フロントシャーシ２３と前側押え材７６とは、シート保持用シャーシ２７の貫通穴２７ｄを貫通して上方からビスＢ２によりネジ穴２３ｂ、７６ｅを通してネジ止め固定されている。
【００８７】
上記構成とすると、線状光源２８の交換の際には、ビスＢ２を取り外した後に、前側押え材７６をスライドさせて係止部７６ａの被係止部７５ａとの係止を解除しながら上方に取り外せば、設置溝７５ｄに配置された線状光源２８を取り出して交換することができる。即ち、前側押え材７６を背側受け材７５に係止固定する構造とすることで、ネジ止め等により固定する場合に比べて、固定作業および取外し作業がワンタッチで行うことができ作業性が向上する利点がある。
【００８８】
また、線状光源２８の交換作業は、上記のように前面側からの一方向のみで行うことができるが、その他の方法として、ビスＢ４を取り外した後に背側受け材７５を係止解除して取り外すことで、背面側からも交換作業を行うことができる。即ち、作業状況に応じて作業し易い方向を選択して行うことができるため作業のフレキシビリティが向上する。なお、他の構成は上述した他の実施形態と同様であるため同一符号を付して説明を省略する。
【００８９】
図１５（Ａ）（Ｂ）は第１４実施形態を示す。
第１３実施形態との相違点は、ベゼル４１に、第２実施形態と同様にビスＢ１の上方においてもビス挿通用の開口部４１ｃを設けている点である。なお、他の構成は上述した他の実施形態と同様であるため同一符号を付して説明を省略する。
【００９０】
図１６（Ａ）（Ｂ）は第１５実施形態を示す。
第１４実施形態との相違点は、シート保持用シャーシ２７を廃止して、第３実施形態および第９実施形態と同様に光学シート群４５の最下層の拡散板４４の端部を側方に延在させてビス孔４４ａ、４４ｂを設けている点である。
【００９１】
上記構成とすると、ビスＢ２を外した後に前側押え材７６をスライドさせながら上方へ係止解除することで線状光源２８の交換を行うことがき、かつ、ビスＢ１により拡散板４４の固定状態が維持されることにより上層のプリズムシート２４および拡散シート２５が支持されて光学シート群４５がばらけることがなく、光学シート群４５の間に塵や埃などが混入するのを防止することができる。なお、他の構成は上述した他の実施形態と同様であるため同一符号を付して説明を省略する。
【００９２】
図１７（Ａ）（Ｂ）は第１６実施形態を示す。
第１３実施形態との相違点は、第１０実施形態と同様にフロントシャーシ４８と前側押え材７８とをビスＢ３により側方からネジ止め固定している点である。
【００９３】
前側押え材７８は、下面に背側受け材７５の被係止部７５ａにスライド係止する断面Ｌ字状に突出した係止部７８ａを設けており、内側面の下端側に設置溝７５ｄと合致する切欠部７８ｃを設けている。また、前側押え材７８の上面にはビスＢ１と空隙をあけて干渉防止する凹部７８ｄと、フロントシャーシ２３の下面と当接する突出部７８ｆとを設けており、外側面にはビスＢ２を取り付けるネジ穴７８ｅを備えている。
【００９４】
線状光源２８の交換時には、ビスＢ３を取り外した後に前側押え材７８をスライドさせて係止解除し上方に取り外せば、設置溝６３ｄに配置された線状光源２８を前面側に取り出すことができる。なお、他の構成は上述した他の実施形態と同様であるため同一符号を付して説明を省略する。
【００９５】
図１８（Ａ）（Ｂ）は第１７実施形態を示す。
第１６実施形態との相違点は、第１１実施形態と同様にしてベゼル５２とシート保持用シャーシ５４とをビスＢ２により上方からネジ止めしている点である。
前側押え材８０は、下面に背側受け材７５の被係止部７５ａにスライド係止する断面Ｌ字状に突出した係止部８０ａを設けており、内側面の下端側に設置溝７５ｄと合致する切欠部８０ｃを設けている。前側押え材８０の上面にはビスＢ１、Ｂ２と空隙をあけて干渉防止する凹部８０ｄ、８０ｉと、フロントシャーシ５３の下面と当接する突出部８０ｆとを設けており、外側面にはビスＢ２を取り付けるネジ穴８０ｅを備えている。なお、他の構成は上述した実施形態と同様であるため同一符号を付して説明を省略する。
【００９６】
図１９（Ａ）（Ｂ）は第１８実施形態を示す。
第１７実施形態との相違点は、第６実施形態および第１２実施形態と同様のシート保持用シャーシ５９を用いている点である。
前側押え材８２は、下面に背側受け材７５の被係止部７５ａにスライド係止する断面Ｌ字状に突出した係止部８０ａを設けており、内側面の下端側に設置溝７５ｄと合致する切欠部８２ｃを設けている。前側押え材８２の上面にはビスＢ２と空隙をあけて干渉防止する凹部８２ｄを設けていると共に、ビスＢ３をネジ止めするネジ穴８２ｅを下面まで貫通している。
線状光源２８を交換作業は、ビスＢ３を外した後に前側押え材８２をスライドさせて係止解除し上方に取り外すだけでよい。なお、他の構成は上述した他の実施形態と同様であるため同一符号を付して説明を省略する。
【００９７】
図２０（Ａ）（Ｂ）は第１９実施形態を示す。
本実施形態は、シート保持用シャーシを廃止して、光学シート群８７の最下層の拡散板８６の端部を側方に延在させてフロントシャーシ８５とネジ止めしていると共に、拡散板８６の端部を下方に屈曲させた垂直部８６ｂを設けて前側押え材８８に側方からネジ止めしている。
【００９８】
ベゼル８４は、その上面にビスＢ２の装着用のネジ穴８４ｂおよびビス挿通用の開口部８４ａを設けていると共に側面にビス挿通用の開口部８４ｃを穿設している。
フロントシャーシ８５は、その上面にビスＢ１をネジ止めする位置に凹部８５ａを設けており、凹部８５ａにネジ穴８５ｄを設けていると共に、ビスＢ２に対応する位置にネジ穴８５ｂを設け、側面にはビスＢ３の挿通用の開口部８５ｃを設けている。
【００９９】
最下層の拡散板８６は、平面部８６ａの端部で下方に屈曲する垂直部８６ｂを設けており、平面部８６ａの所要位置にはビスＢ１の装着用のビス孔８６ｃを設けていると共に、垂直部８６ｂにはビスＢ３の装着用のビス孔８６ｄを設けている。
前側押え材８８は、下面に背側受け材７５の被係止部７５ａにスライド係止する断面Ｌ字状に突出した係止部８８ａを設けており、内側面の下端側に設置溝７５ｄと合致する切欠部８８ｃを設けている。前側押え材８８の上面にはビスＢ１と空隙をあけて干渉防止する凹部８８ｄを設けていると共に突起部８８ｅを設け、上面外側には段差を設けて該段差の側面にネジ穴８８ｆを設けている。
【０１００】
拡散板８６と前側押え材８８とは、ビスＢ３を側方からネジ穴８６ｄ、８８ｆにネジ止め固定している。フロントシャーシ８５と拡散板８６とは、ビスＢ１によりネジ穴８５ｄおよびビス孔８６ｃを通してネジ止めすることで、拡散板８６の固定と共に上層のプリズムシート２４および拡散シート２５を支持している。
上記構成とすると、ビスＢ３を側方から外した後に前側押え材８８と背側受け材７５との係止を解除することで、光学シート群８７を分解することなく線状光源２８の交換を行うことができる。なお、他の構成は上述した他の実施形態と同様であるため同一符号を付して説明を省略する。
【０１０１】
図２１（Ａ）（Ｂ）は第２０実施形態を示す。
第１９実施形態との相違点は、光学シート群９１の最下層の拡散板９０の端部において、別体である取付片９２を下方に突出して固定している点である。
拡散板９０は、ビスＢ１の装着用のビス孔９０ａを所要位置に設けていると共に、その端部において取付片９２を係止、接着あるいは溶着等により固定しており、取付片９２には側方より貫通したビス孔９２ａを設けている。なお、他の構成は上述した実施形態と同様であるため同一符号を付して説明を省略する。
【０１０２】
図２２（Ａ）（Ｂ）は第２１実施形態を示す。
本実施形態は、光源保持部材９５の上面９５ｄにより光学シート群３２を支持し、かつ、光源保持部材９５を分解せずに線状光源２８を分解可能としている。
【０１０３】
光源保持部材９５は、内側面の下端側より光源挿通部９５ａを切り欠いていると共に、その下端側には更に反射複合材３０の端部を位置決めする切欠部９５ｂを設けている。下面にバックシャーシ３１への位置決め用の凹部９５ｃを設けていると共に、凹部９５ｃにはビスＢ４を取り付けるネジ穴９５ｇを設けている。光源保持部材９５の上面９５ｄは光学シート群３２の最下層の拡散板２６の下面周縁を支持できる位置に配置される。また、上面９５ｄの所要位置にはフロントシャーシ９４の下面と当接する突出部９５ｅを設けていると共に、ビスＢ１を取り付けるネジ穴９５ｆが設けられている。
フロントシャーシ９４は、その上面にビスＢ１、Ｂ３を取り付けるためのネジ穴９４ａ、９４ｂを設けている。
【０１０４】
線状光源２８を交換する場合には、ビスＢ４を背面側から外すことで、バックシャーシ３１および複合反射材３０が取り外され、光学シート群３２を分解することなく線状光源２８の交換作業を行うことができる。また、線状光源２８の交換作業は、背面側からの一方向のみの作業で行うことができ作業性が向上する。なお、他の構成は上述した他の実施形態と同様であるため同一符号を付して説明を省略する。
【０１０５】
図２３（Ａ）（Ｂ）は第２２実施形態を示す。
本実施形態は、光学シート群４５の最下層の拡散板４４をビスＢ１、Ｂ２によりフロントシャーシ４３および光源保持部材９７に固定していると共に、バックシャーシ３１と光源保持部材９７とを背面からビスＢ４によりネジ止め固定している。
【０１０６】
光源保持部材９７は、内側面の下端側より光源挿通部９７ａを切り欠いていると共に、その下端側には更に反射複合材３０の端部を位置決めする切欠部９７ｂを設けている。下面にはバックシャーシ３１への位置決め用の凹部９７ｃを設けていると共に、凹部９７ｃにはビスＢ４を取り付けるネジ穴９７ｇを設けている。光源保持部材９７の上面にはフロントシャーシ４３の下面と当接する突出部９７ｅを設けていると共に、ビスＢ１と干渉しないための空隙である凹部９７ｄと、ビスＢ２の取付用のネジ穴９７ｆとを設けている。
線状光源２８の交換作業は、ビスＢ４を背面から取り外すことで光学シート群４５の支持状態を保ったまま行うことができる。なお、他の構成は上述した実施形態と同様であるため同一符号を付して説明を省略する。
【０１０７】
図２４（Ａ）（Ｂ）は第２３実施形態を示す。
第２１実施形態との相違点は、フロントシャーシ９９と光源保持部材１００とを固定するビスＢ１を側方から取り付けている点である。
フロントシャーシ９９は、その上面にビスＢ２を取り付けるネジ穴９９ａを設けていると共に側面にビスＢ１を取り付けるネジ穴９９ｂを設けている。
【０１０８】
光源保持部材１００は、内側面の下端側より光源挿通部１００ａを切り欠いていると共に、その下端側には更に反射複合材３０の端部を位置決めする切欠部１００ｂを設けている。下面にはバックシャーシ３１への位置決め用の凹部１００ｃを設けていると共に、凹部１００ｃにはビスＢ４を取り付けるネジ穴１００ｇを設けている。光源保持部材１００の上面１００ｄは光学シート群３２の最下層の拡散板２６の下面周縁を支持できる位置に配置される。また、上面９５ｄの所要位置にはフロントシャーシ９９の下面と当接する突出部１００ｅを設けていると共に、外側面にはビスＢ１を取り付けるネジ穴１００ｆが設けられている。
【０１０９】
線状光源２８を交換するには、ビスＢ４を背面から外すことで、バックシャーシ３１および複合反射材３０が取り外され、光学シート群３２を分解することなく線状光源２８の交換作業を行うことができる。なお、他の構成は上述した他の実施形態と同様であるため同一符号を付して説明を省略する。
【０１１０】
図２５および図２６は第２４実施形態を示す。
第１実施形態との相違点は、バックシャーシ１０３および反射複合材１０４とフロントシャーシ２３とを長辺側で上方からビスＢ５により固定している点である。
【０１１１】
光源保持部材１０２は、内側面の下端側より光源挿通部１０２ａを切り欠いていると共に、その下端側には反射複合材１０４の端部を位置決めする切欠部１０２ｂを設けており、下面にはバックシャーシ１０３への位置決め用の凸部１０２ｃを設けている。また、光源保持部材１０２の上面にはフロントシャーシ２３の下面と当接する突出部１０２ｇと、ビスＢ１と空隙をあけて干渉防止する凹部１０２ｄと、ビスＢ２を取り付けるネジ穴１０２ｅとを備えている。
【０１１２】
反射複合材１０４は、アルミニウム等の金属板１０５の上面に樹脂製の反射シート１０６を貼付け接合している反射率９０％以上のアルセット（三菱樹脂株式会社製）を用いており、図２６（Ａ）に示す長辺側の断面視において、底面部１０４ａと、底面部１０４ａの端部から傾斜して上方に突出する側面部１０４ｂと、側面部１０４ｂの上端から側方に突出する鍔部１０４ｃとを備え、鍔部１０４ｃにはネジ穴１０４ｄが穿設されている。
【０１１３】
バックシャーシ１０３は、図２６（Ａ）に示す長辺側の断面視において、底面部１０３ａと、底面部１０３ａの端部から上方に突出する側面部１０３ｂと、側面部１０３ｂの上端から側方に突出する鍔部１０３ｃとを備え、鍔部１０３ｃにネジ穴１０３ｅを穿設していると共に、図２５（Ａ）に示す短辺側の断面視において、底面部１０３ａの光源保持部材１０２の下面の凸部１０２ｃに対応する位置に位置決め用の嵌合孔１０３ｄを穿設している。
【０１１４】
線状光源２８の交換作業を行う場合には、図２５（Ｂ）および図２６（Ｂ）に示すようにビスＢ５を取り外すことで、シート保持用シャーシ２７を分解することなくバックシャーシ１０３および反射複合材１０４を上方から取り外して、線状光源２８の交換を行うことができる。また、全てのビスＢ１、Ｂ２、Ｂ３、Ｂ５が前面側から取り付けられているので、分解作業が一方向のみから行うことでき作業性が向上する。なお、他の構成は上述した実施形態と同様であるため同一符号を付して説明を省略する。
【０１１５】
図２７（Ａ）（Ｂ）は第２５実施形態を示す。
本実施形態ではフロントシャーシを廃止している。ビスＢ３はベゼル２１のネジ穴２１ｂと光源保持部材２９のネジ穴２９ｈとに固定され、ビスＢ２はシート保持用シャーシ４９と光源保持部材２９とバックシャーシ３１とを一体的に貫通固定している。
線状光源２８の交換作業を行う場合には、図２７（Ｂ）に示すように、ビスＢ２をベゼル２１の開口２１ａを通して上方から取り外すことで、バックシャーシ３１および反射複合材３０が離脱され、線状光源２８を着脱することができる一方、光源保持部材２９がビスＢ３で固定されたままとなることで光学シート群３２がシート保持用シャーシ４９に保持されて分解されない。また、枠状のシート保持用シャーシ４９を設けていることで、光学シート群３２が４辺で支持されて撓みや位置ズレが防止され、表示品位を良好に維持することができる。なお、他の構成は上述した実施形態と同様であるため同一符号を付して説明を省略する。
【０１１６】
図２８（Ａ）（Ｂ）は第２６実施形態を示す。
本実施形態ではフロントシャーシを廃止すると共に、光源保持部材２９の上面により光学シート群３２を支持している。
つまり、ビスＢ３でベゼル２１と光源保持部材２９とを固定し、ビスＢ２で光源保持部材２９とバックシャーシ３１とを固定している。
線状光源２８の交換作業を行う場合には、図２８（Ｂ）に示すように、ビスＢ２をベゼル２１の開口２１ａを通して上方から取り外すことで、バックシャーシ３１および反射複合材３０が離脱され、線状光源２８を着脱することができる一方、光源保持部材２９がビスＢ３で固定されたままとなることで光学シート群３２が光源保持部材２９に支持されて分解されない。なお、他の構成は上述した実施形態と同様であるため同一符号を付して説明を省略する。
【０１１７】
図２９（Ａ）（Ｂ）は第２７実施形態を示す。
本実施形態ではフロントシャーシを廃止すると共に、バックシャーシ３１を光源保持部材１０９に背面側からビスＢ４で固定している。
光源保持部材１０９は、内面側の下端より光源挿通部１０９ａを切り欠いていると共に、その下端側には反射複合材３０の端部を位置決めする切欠部１０９ｂを設けている。下面にバックシャーシ３１への位置決め用の凹部１０９ｃを設けていると共に、凹部１０９ｃにはネジ穴１０９ｇを設けている。また、光源保持部材１０９の上面１０９ｄには突出部１０９ｅを設けていると共に、ビスＢ２を取り付けるネジ穴１０９ｆを設けている。
ベゼル１０８は断面逆Ｌ字の枠形状であり、その上面にビスＢ２を螺着するネジ穴１０８ａを設けている。
【０１１８】
線状光源２８の交換作業を行う場合には、図２９（Ｂ）に示すように、ビスＢ４を背面側へ取り外すことでバックシャーシ３１および反射複合材３０が離脱され、線状光源２８を着脱することができる一方、光源保持部材１０９がビスＢ２で固定されたままとなることで光学シート群３２が光源保持部材１０９の上面１０９ｄに支持されて分解されない。なお、他の構成は上述した実施形態と同様であるため同一符号を付して説明を省略する。
【０１１９】
図３０（Ａ）（Ｂ）は第２８実施形態を示す。
本実施形態は、フロントシャーシを廃止していると共に、光源保持部材１１２が背側受け材６３と前側押え材１１１とで構成されている。
【０１２０】
ベゼル１１０は断面逆Ｌ字の枠形状であり、その上面にビスＢ１を螺着するネジ穴１１０ｂを設けていると共に、ビスＢ４を通過させる開口１１０ａを穿設している。
前側押え材１１１は、下面に背側受け材６３の凹部６３ａと嵌合する凸部１１１ａを設けており、内側面の下端側に設置溝６３ｄと合致する切欠部１１１ｃを設けている。また、前側押え材１１１の上面にはビスＢ１が螺着されるネジ部１１１ｅと、突出部１１１ｆとを設けていると共に、前側押え材１１１の上面外側には段差を設けてネジ穴１１１ｂを下面まで貫通している。
【０１２１】
そして、背側受け材６３の設置溝６３ｄに線状光源２８の端部２８ａを搭載した状態で前側押え材１１１を被せて凸部１１１ａを凹部６３ａに嵌合し、合致した挿通穴６３ｃ、１１１ｂに上方よりビスＢ４を挿通してバックシャーシ３１のネジ穴３１ｂにネジ止め固定している。また、フロントシャーシ２３と光源保持部材２９とは、シート保持用シャーシ２７の貫通穴２７ｄを貫通して上方からビスＢ２によりネジ穴２３ｂ、６４ｅを通してネジ止め固定されている。
【０１２２】
線状光源２８の交換の際には、図３０（Ｂ）に示すように、ビスＢ４を開口１１０ａを通して上方に取り外して分解するだけで、設置溝６３ｄに配置された線状光源２８を前面側に取り出すことができる一方、前側押え材１１１がビスＢ２で固定されたままとなることで光学シート群３２が光源保持部材１１１の上面１１１ａに支持されて分解されない。なお、他の構成は上述した他の実施形態と同様であるため同一符号を付して説明を省略する。
【０１２３】
図３１（Ａ）（Ｂ）は第２９実施形態を示す。
本実施形態ではフロントシャーシを廃止すると共に、バックシャーシ３１を背側受け材１１５に背面側からビスＢ４で固定している。
【０１２４】
背側受け材１１５は、上面に前側押え材１１４の下面と嵌合する凹部１１５ａと、ビスＢ２を取り付けるネジ穴１１５ｆとを設けており、内側面の上端側から線状光源２８の端部２８ａを搭載する設置溝１１５ｄを切り欠いていると共に、下端側から反射複合材３０の押さえ用の切欠部１１５ｅを設けている。また、背側受け材１１５の下面には位置決め用の凹部１１５ｂを設けており、凹部１１５ｂにネジ穴１１５ｃを設けている。
【０１２５】
前側押え材１１４は、下面に背側受け材１１５の凹部１１５ａと嵌合する凸部１１４ａを設けており、内側面の下端側に設置溝１１５ｄと合致する切欠部１１４ｃを設けている。また、前側押え材１１４の上面１１４ａには突出部１１１ｆと、ビスＢ１が螺着されるネジ部１１４ｅと、下面まで貫通するネジ穴１１４ｂとを設けている。
【０１２６】
線状光源２８を交換するメンテナンス時には、図３１（Ｂ）に示すように、ビスＢ２を開口１１０ａを通して上方に取り外すだけで、設置溝１１５ｄに配置された線状光源２８を前面側に取り出すことができる一方、前側押え材１１４がビスＢ１でベゼル１１０に固定されたままとなることで光学シート群３２が前側押え材１１４の上面１１４ａに支持されて分解されない。なお、他の構成は上述した実施形態と同様であるため同一符号を付して説明を省略する。
【図面の簡単な説明】
【０１２７】
【図１】本発明の第１実施形態の液晶表示装置の分解斜視図である。
【図２】（Ａ）は第１実施形態の液晶表示装置の要部断面図、（Ｂ）は光源交換時の分解断面図である。
【図３】（Ａ）は第２実施形態の液晶表示装置の要部断面図、（Ｂ）は光源交換時の分解断面図である。
【図４】（Ａ）は第３実施形態の液晶表示装置の要部断面図、（Ｂ）は光源交換時の分解断面図である。
【図５】（Ａ）は第４実施形態の液晶表示装置の要部断面図、（Ｂ）は光源交換時の分解断面図である。
【図６】（Ａ）は第５実施形態の液晶表示装置の要部断面図、（Ｂ）は光源交換時の分解断面図である。
【図７】（Ａ）は第６実施形態の液晶表示装置の要部断面図、（Ｂ）は光源交換時の分解断面図である。
【図８】（Ａ）は第７実施形態の液晶表示装置の要部断面図、（Ｂ）は光源交換時の分解断面図である。
【図９】（Ａ）は第８実施形態の液晶表示装置の要部断面図、（Ｂ）は光源交換時の分解断面図である。
【図１０】（Ａ）は第９実施形態の液晶表示装置の要部断面図、（Ｂ）は光源交換時の分解断面図である。
【図１１】（Ａ）は第１０実施形態の液晶表示装置の要部断面図、（Ｂ）は光源交換時の分解断面図である。
【図１２】（Ａ）は第１１実施形態の液晶表示装置の要部断面図、（Ｂ）は光源交換時の分解断面図である。
【図１３】（Ａ）は第１２実施形態の液晶表示装置の要部断面図、（Ｂ）は光源交換時の分解断面図である。
【図１４】（Ａ）は第１３実施形態の液晶表示装置の要部断面図、（Ｂ）は光源交換時の分解断面図である。
【図１５】（Ａ）は第１４実施形態の液晶表示装置の要部断面図、（Ｂ）は光源交換時の分解断面図である。
【図１６】（Ａ）は第１５実施形態の液晶表示装置の要部断面図、（Ｂ）は光源交換時の分解断面図である。
【図１７】（Ａ）は第１６実施形態の液晶表示装置の要部断面図、（Ｂ）は光源交換時の分解断面図である。
【図１８】（Ａ）は第１７実施形態の液晶表示装置の要部断面図、（Ｂ）は光源交換時の分解断面図である。
【図１９】（Ａ）は第１８実施形態の液晶表示装置の要部断面図、（Ｂ）は光源交換時の分解断面図である。
【図２０】（Ａ）は第１９実施形態の液晶表示装置の要部断面図、（Ｂ）は光源交換時の分解断面図である。
【図２１】（Ａ）は第２０実施形態の液晶表示装置の要部断面図、（Ｂ）は光源交換時の分解断面図である。
【図２２】（Ａ）は第２１実施形態の液晶表示装置の要部断面図、（Ｂ）は光源交換時の分解断面図である。
【図２３】（Ａ）は第２２実施形態の液晶表示装置の要部断面図、（Ｂ）は光源交換時の分解断面図である。
【図２４】（Ａ）は第２３実施形態の液晶表示装置の要部断面図、（Ｂ）は光源交換時の分解断面図である。
【図２５】（Ａ）は第２４実施形態の液晶表示装置の要部断面図、（Ｂ）は光源交換時の分解断面図である。
【図２６】（Ａ）は第２４実施形態の液晶表示装置の長辺側の断面を示す要部断面図、（Ｂ）は光源交換時の分解断面図である。
【図２７】（Ａ）は第２５実施形態の液晶表示装置の要部断面図、（Ｂ）は光源交換時の分解断面図である。
【図２８】（Ａ）は第２６実施形態の液晶表示装置の要部断面図、（Ｂ）は光源交換時の分解断面図である。
【図２９】（Ａ）は第２７実施形態の液晶表示装置の要部断面図、（Ｂ）は光源交換時の分解断面図である。
【図３０】（Ａ）は第２８実施形態の液晶表示装置の要部断面図、（Ｂ）は光源交換時の分解断面図である。
【図３１】（Ａ）は第２９実施形態の液晶表示装置の要部断面図、（Ｂ）は光源交換時の分解断面図である。
【図３２】従来例を示す図面である。
【図３３】別の従来例を示す図面である。
【符号の説明】
【０１２８】
２０    液晶表示装置
２１    ベゼル
２２    液晶パネル
２３    フロントシャーシ
２４    プリズムシート
２５    拡散シート
２６、４４、８６、９０    拡散板
２７、５９    シート保持用シャーシ
２８    線状光源
２９    光源保持部材
２９ａ  光源挿通部
２９ｃ  凹部
３０    反射複合材
３１    バックシャーシ
３１ａ  凸部
３２    光学シート群
３３    金属板
３４    反射シート
３５、３６    スペーサ
６３、７５    背側受け材
６３ｄ、７５ｄ  設置溝
６４、７６    前側押え材
７６ａ  係止部
７５ａ  被係止部
９２    取付片
１０２ｃ  凸部
１０３ｄ  嵌合孔
Ｂ１〜Ｂ５    ビス（止め具）
【図１】
2005202036.tif 000003
【図２】
2005202036.tif 000004
【図３】
2005202036.tif 000005
【図４】
2005202036.tif 000006
【図５】
2005202036.tif 000007
【図６】
2005202036.tif 000008
【図７】
2005202036.tif 000009
【図８】
2005202036.tif 000010
【図９】
2005202036.tif 000011
【図１０】
2005202036.tif 000012
【図１１】
2005202036.tif 000013
【図１２】
2005202036.tif 000014
【図１３】
2005202036.tif 000015
【図１４】
2005202036.tif 000016
【図１５】
2005202036.tif 000017
【図１６】
2005202036.tif 000018
【図１７】
2005202036.tif 000019
【図１８】
2005202036.tif 000020
【図１９】
2005202036.tif 000021
【図２０】
2005202036.tif 000022
【図２１】
2005202036.tif 000023
【図２２】
2005202036.tif 000024
【図２３】
2005202036.tif 000025
【図２４】
2005202036.tif 000026
【図２５】
2005202036.tif 000027
【図２６】
2005202036.tif 000028
【図２７】
2005202036.tif 000029
【図２８】
2005202036.tif 000030
【図２９】
2005202036.tif 000031
【図３０】
2005202036.tif 000032
【図３１】
2005202036.tif 000033
【図３２】
2005202036.tif 000034
【図３３】
2005202036.tif 000035